(57)【要約】【課題】操作が制限されるロック機能が設定されているときに、その設定が容易に解除されにくい燃焼装置を提供する。【解決手段】給湯装置１０は、各種の操作が行われる入力部１２２、１３２と、入力部１２２、１３２での操作が制限されるロック機能の設定および解除を行う制御部１３３と、携帯端末装置２０との間で通信可能な無線通信部１３６と、備える。制御部１３３は、ロック機能が設定されているときに、携帯端末装置２０で行われたロック機能を解除する操作に基づいて携帯端末装置２０から送信された解除信号に基づいて、ロック機能の解除を行う。【選択図】図２
2020139642.tif 000002
【特許請求の範囲】
【請求項１】
各種の操作が行われる操作部と、
前記操作部での操作が制限されるロック機能の設定および解除を行う制御部と、
端末装置との間で通信可能な通信部と、備え、
前記制御部は、前記ロック機能が設定されているときに、前記端末装置で行われた前記ロック機能を解除する操作に基づいて前記端末装置から送信された解除信号に基づいて、前記ロック機能の解除を行う、
ことを特徴とする燃焼装置。
【請求項２】
請求項１に記載の燃焼装置において、
前記制御部は、前記ロック機能が解除されているときに、前記端末装置で行われた前記ロック機能を設定する操作に基づいて前記端末装置から送信された設定信号に基づいて、前記ロック機能の設定を行う、
ことを特徴とする燃焼装置。
【請求項３】
請求項２に記載の燃焼装置において、
前記制御部は、前記ロック機能が設定状態にあるのか解除状態にあるのかの示す状態信号を、前記通信部を通じて前記端末装置に送信する、
ことを特徴とする燃焼装置。
【請求項４】
請求項１ないし３の何れか一項に記載の燃焼装置において、
前記通信部は、前記端末装置の通信部との間で近距離無線通信を行う、
ことを特徴とする燃焼装置。
【請求項５】
請求項１ないし４の何れか一項に記載の燃焼装置において、
前記燃焼装置は、給湯装置またはガスコンロである、
ことを特徴とする燃焼装置。
【請求項６】
端末装置との間で通信可能なサーバと、
操作部を有し、前記サーバとの間で通信可能な燃焼装置とを備え、
前記燃焼装置は、前記操作部での操作が制限されるロック機能を有し、
前記燃焼装置において前記ロック機能が設定されているとき、
前記サーバは、前記端末装置で行われた前記ロック機能を解除する操作に基づいて前記端末装置から送信された信号を受信すると、前記ロック機能を解除する信号を前記燃焼装置へ送信し、
前記燃焼装置は、前記ロック機能を解除する信号を受信すると、前記ロック機能の解除を行う、
ことを特徴とする燃焼システム。
【請求項７】
請求項６に記載の燃焼システムにおいて、
前記燃焼装置において前記ロック機能が解除されているとき、
前記サーバは、前記端末装置で行われた前記ロック機能を設定する操作に基づいて前記端末装置から送信された信号を受信すると、前記ロック機能を設定する信号を前記燃焼装置へ送信し、
前記燃焼装置は、前記ロック機能を設定する信号を受信すると、前記ロック機能の設定を行う、
ことを特徴とする燃焼システム。
【請求項８】
請求項７に記載の燃焼システムにおいて、
前記燃焼装置は、前記ロック機能が設定状態にあるのか解除状態にあるのかを示す状態信号を、前記ロック機能が設定状態にあるのか解除状態にあるのかを前記端末装置へ通知するために前記サーバに送信する、
ことを特徴とする燃焼システム。
【請求項９】
請求項６ないし８の何れか一項に記載の燃焼システムにおいて、
前記燃焼装置は、給湯装置またはガスコンロである、
ことを特徴とする燃焼システム。
【請求項１０】
請求項６ないし９の何れか一項に記載の燃焼システムの一部を構成する燃焼装置。
【請求項１１】
端末装置のコンピュータに、
燃焼装置の操作部での操作が制限されるロック機能を解除する解除操作を受け付ける機能と、
受け付けた前記解除操作に基づいて、解除信号を、当該解除信号に基づいて前記燃焼装置に前記ロック機能を解除させるために送信する機能と、を実行させる、
ことを特徴とするプログラム。
【発明の詳細な説明】
【技術分野】
【０００１】
本発明は、ガス、オイル等の燃料を用いて燃焼動作を行う、給湯装置、ガスコンロ等の燃焼装置に関する。また、本発明は、燃焼装置と、当該燃焼装置と通信可能なサーバとを備える燃焼システムに関する。さらに、本発明は、端末装置に所定の機能を実行させるプログラムに関する。
【背景技術】
【０００２】
従来、燃料を用いて燃焼動作を行う燃焼装置において、所定の操作に基づいて、その操作以降の燃焼動作に関わる操作が制限される、いわゆるチャイルドロック機能を搭載したものが知られている。このチャイルドロック機能により、子供等の操作により誤って燃焼動作が行われてしまうことが防止される。
【０００３】
たとえば、特許文献１には、チャイルドロック機能を備えた給湯器のリモートコントローラが記載されている。このリモートコントローラでは、リモートコントローラに設けられた給湯温度などを設定するための２つの設定スイッチがチャイルドロックスイッチを兼ねる。両方の設定スイッチが同時に押されると、チャイルドロックがかかり、もう一度、両方の設定スイッチが同時に押されると、チャイルドロックが解除される。
【先行技術文献】
【特許文献】
【０００４】
【特許文献１】特開平８−４７０６６号公報
【発明の概要】
【発明が解決しようとする課題】
【０００５】
従来、燃焼装置のチャイルドロック機能における解除操作は、上記のリモートコントローラのように、燃焼装置の操作部上でのスイッチ（ボタン、キー）の特殊操作により行われることが多い。しかしながら、その特殊操作は、複雑過ぎると操作が覚えられなくなり利便性が悪くなるため、スイッチの同時押しや長押しなど、あまり複雑なものにはされにくい。
【０００６】
よって、親等が解除操作を行っているところ見て覚えた子供等が解除操作を行うことで、チャイルドロックが解除されてしまったり、子供等がいたずらでスイッチを操作しているときに偶然に解除操作が行われてしまい、チャイルドロックが解除されてしまったりする、ということが懸念される。
【０００７】
かかる課題に鑑み、本発明は、操作が制限されるロック機能が設定されているときに、その設定が容易に解除されにくい燃焼装置、燃焼システムおよびプログラムを提供することを目的とする。
【課題を解決するための手段】
【０００８】
本発明の第１の態様は、燃焼装置に関する。本態様に係る燃焼装置は、各種の操作が行われる操作部と、前記操作部での操作が制限されるロック機能の設定および解除を行う制御部と、端末装置との間で通信可能な通信部と、備える。ここで、前記制御部は、前記ロック機能が設定されているときに、前記端末装置で行われた前記ロック機能を解除する操作に基づいて前記端末装置から送信された解除信号に基づいて、前記ロック機能の解除を行う。
【０００９】
たとえば、前記通信部は、前記端末装置の通信部との間で近距離無線通信を行うような構成とされ得る。また、前記燃焼装置は、給湯装置またはガスコンロとされ得る。
【００１０】
上記の構成によれば、操作部上での操作ではロック機能が解除できず、解除のためには端末装置を手にしなければならない。よって、解除操作自体を複雑なものとしなくとも、子供等によりロック機能が不所望に解除されにくくなる。
【００１１】
本態様に係る燃焼装置において、前記制御部は、前記ロック機能が解除されているときに、前記端末装置で行われた前記ロック機能を設定する操作に基づいて前記端末装置から送信された設定信号に基づいて、前記ロック機能の設定を行うような構成とされ得る。
【００１２】
上記の構成によれば、設定操作自体を複雑なものとしなくとも、子供等によりロック機能が不所望に設定されにくくなる。
【００１３】
上記の構成とされた場合、さらに、前記制御部は、前記ロック機能が設定状態にあるのか解除状態にあるのかの示す状態信号を、前記通信部を通じて前記端末装置に送信するような構成とされ得る。
【００１４】
このような構成とされれば、操作者は、ロック機能の設定操作および解除操作を行う前に端末装置において現在のロック機能の状態を把握でき、円滑に設定操作および解除操作を行うことができる。
【００１５】
本発明の第２の態様は、燃焼システムに関する。本態様に係る燃焼システムは、端末装置との間で通信可能なサーバと、操作部を有し、前記サーバとの間で通信可能な燃焼装置とを備える。ここで、前記燃焼装置は、前記操作部での操作が制限されるロック機能を有する。そして、前記燃焼装置において前記ロック機能が設定されているとき、前記サーバは、前記端末装置で行われた前記ロック機能を解除する操作に基づいて前記端末装置から送信された信号を受信すると、前記ロック機能を解除する信号を前記燃焼装置へ送信し、前記燃焼装置は、前記ロック機能を解除する信号を受信すると、前記ロック機能の解除を行う。
【００１６】
たとえば、前記燃焼装置は、給湯装置またはガスコンロとされ得る。
【００１７】
上記の構成によれば、上記第１の態様と同様、解除操作自体を複雑なものとしなくとも、子供等によりロック機能が不所望に解除されにくくなる。
【００１８】
本態様に係る燃焼システムにおいて、前記燃焼装置において前記ロック機能が解除されているとき、前記サーバは、前記端末装置で行われた前記ロック機能を設定する操作に基づいて前記端末装置から送信された信号を受信すると、前記ロック機能を設定する信号を前記燃焼装置へ送信し、前記燃焼装置は、前記ロック機能を設定する信号を受信すると、前記ロック機能の設定を行うような構成が採られ得る。
【００１９】
上記の構成によれば、上記第１の態様と同様、設定操作自体を複雑なものとしなくとも、子供等によりロック機能が不所望に設定されにくくなる。
【００２０】
上記の構成とされた場合、さらに、前記燃焼装置は、前記ロック機能が設定状態にあるのか解除状態にあるのかを示す状態信号を、前記ロック機能が設定状態にあるのか解除状態にあるのかを前記端末装置へ通知するために前記サーバに送信するような構成とされ得る。
【００２１】
このような構成とされれば、上記第１の態様と同様、操作者は、円滑に設定操作および解除操作を行うことができる。
【００２２】
本発明の第３の態様は、燃焼装置に関する。本態様に係る燃焼装置は、上記第２の態様に係る燃焼システムの一部を構成する。
【００２３】
上記の構成によれば、上記第２の態様と同様の効果を奏することができる。
【００２４】
本発明の第４の態様は、プログラムに関する。本態様に係るプログラムは、端末装置のコンピュータに、燃焼装置の操作部での操作が制限されるロック機能を解除する解除操作を受け付ける機能と、受け付けた前記解除操作に基づいて、解除信号を、当該解除信号に基づいて前記燃焼装置に前記ロック機能を解除させるために送信する機能と、を実行させる。
【００２５】
上記の構成によれば、上記第１の態様と同様の効果を奏することができる。
【発明の効果】
【００２６】
以上のとおり、本発明によれば、操作が制限されるロック機能が設定されているときに、その設定が容易に解除されにくい燃焼装置、燃焼システムおよびプログラムを提供できる。
【００２７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２８】
【図１】図１は、第１実施形態に係る、給湯システムの構成を示す図である。
【図２】図２は、第１実施形態に係る、給湯システムを構成する各機器の回路ブロックを示す図である。
【図３】図３は、第１実施形態に係る、携帯端末装置の制御部により実行されるロック機能の設定と解除のため処理を示すフローチャートである。
【図４】図４は、第１実施形態に係る、台所リモコンの制御部により実行されるロック機能の設定と解除のため処理を示すフローチャートである。
【図５】図５（ａ）は、第１実施形態に係る、携帯端末装置の表示部に表示される初期画面の一例を示す図であり、図５（ｂ）および（ｃ）は、第１実施形態に係る、携帯端末装置の表示部に表示される設定画面の一例を示す図である。
【図６】図６は、第１実施形態の変更例に係る、給湯システムの構成を示す図である。
【図７】図７は、第１実施形態の変更例に係る、給湯システムを構成する各機器の回路ブロックを示す図である。
【図８】図８は、第１実施形態の変更例に係る、携帯端末装置の制御部により実行されるロック機能の設定と解除のため処理を示すフローチャートである。
【図９】図９は、第１実施形態の変更例に係る、サーバの制御部により実行されるロック機能の設定と解除のため処理を示すフローチャートである。
【図１０】図１０は、第１実施形態の変更例に係る、台所リモコンの制御部により実行されるロック機能の設定と解除のため処理を示すフローチャートである。
【図１１】図１１は、第２実施形態に係る、コンロシステムの構成を示す図である。
【発明を実施するための形態】
【００２９】
以下、本発明の実施形態について図面を参照して説明する。
【００３０】
＜第１実施形態＞
本発明の燃焼装置および燃焼システムの第１実施形態となる給湯装置および給湯システムについて説明する。
【００３１】
図１は、給湯システム１の構成を示す図である。
【００３２】
図１に示すように、給湯システム１は、給湯装置１０と、携帯端末装置２０とを備える。
【００３３】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００３４】
給湯装置１０は、カラン等に湯を供給する給湯機能、浴槽にお湯を張る湯張り機能の他、浴槽内に湯が張られた後にその湯を保温する保温機能と、浴槽内の湯を追い焚きする追い焚き機能と、浴槽内にお湯を足す足し湯機能とを備える。湯張り機能とそれに続く保温機能とによりふろ自動機能が構成される。ふろ自動機能が、湯張り機能のみにより構成される場合もある。保温機能および追い焚き機能では、浴槽と給湯器１１との間でお湯が循環し循環中のお湯が加熱されることによってお湯が熱くなる。
【００３５】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。入力部１２２、１３２には、運転ボタン１２２ａ、１３２ａ、ふろ自動ボタン１２２ｂ、１３２ｂ、追い焚きボタン１２２ｃ、１３２ｃ、足し湯ボタン１２２ｄ、１３２ｄを含む各種の操作ボタンが設けられる。
【００３６】
リモートコントローラ１２、１３が運転オフモード（カラン等の給湯栓が開かれて基準流量以上の通水が発生したとしても給湯器１１が給湯運転を行わない状態）にあるとき、表示部１２１、１３１は消灯状態にあり、運転ボタン１２２ａ、１３２ａ以外の操作ボタンの操作は受け付けられない。運転ボタン１２２ａ、１３２ａが操作され、運転オンモード（カラン等の給湯栓が開かれて基準流量以上の通水が発生したときに給湯器１１が給湯運転を行える状態）になると、表示部１２１、１３１が点灯して設定内容が表示されるとともに運転ボタン１２２ａ、１３２ａ以外の操作ボタンの操作が受け付け可能となる。
【００３７】
ふろ自動ボタン１２２ｂ、１３２ｂは、ふろ自動機能の運転を開始および停止させるための操作ボタンである。追い焚きボタン１２２ｃ、１３２ｃは、追い焚き機能の運転を開始および停止させるための操作ボタンである。足し湯ボタン１２２ｄ、１３２ｄは、足し湯機能の運転を開始および停止させるための操作ボタンである。
【００３８】
リモートコントローラ１２は、浴室に設置され、リモートコントローラ１３は、キッチン等に設置される。以下、浴室に設置されるリモートコントローラ１２を、「浴室リモコン１２」と称し、キッチン等に設置されるリモートコントローラ１３を、「台所リモコン１３」と称する。
【００３９】
台所リモコン１３は、無線通信により、携帯端末装置２０に接続できる。携帯端末装置２０は、たとえば、携帯電話機である。この他、携帯端末装置２０が、携帯型のタブレット端末等の他の携帯可能な端末装置であってもよい。
【００４０】
図２は、給湯システム１を構成する各機器の回路ブロックを示す図である。
【００４１】
給湯器１１は、制御部１１１と、記憶部１１２と、通信部１１３と、水位センサ１１４と、流量センサ１１５と、を備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４２】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退浴したことを検出する。流量センサ１１５は、給湯口１１ａに接続された配管を流れる湯の流量を検出する。制御部１１１は、浴槽、カラン等に湯が供給されている時間と、流量センサ１１５が検出した流量により、お湯の使用量を求めることができる。
【００４３】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、上述のボタン１２２ａ、１２２ｂ、１２２ｃの他、温度設定ボタン等の各種操作ボタンを備える。表示部１２１が、タッチパネルであってもよい。制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検出する。
【００４４】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、上述のボタン１３２ａ、１３２ｂ、１３２ｃの他、温度設定ボタン等の各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００４５】
さらに、台所リモコン１３は、無線通信部１３６を備える。ここで、無線通信部１３６は、ＮＦＣ（Near Field Communication）の通信機能を有するＮＦＣ通信モジュールである。この他、台所リモコン１３は、音声を出力するためのスピーカを備えている。
【００４６】
携帯端末装置２０は、表示部２０１と、入力部２０２と、制御部２０３と、記憶部２０４と、無線通信部２０５とを備える。表示部２０１は、たとえば、液晶パネルにより構成される。入力部２０２は、各種操作ボタンと、表示部２０１に積層されたタッチパネルとを備える。
【００４７】
制御部２０３は、ＣＰＵを備え、記憶部２０４に記憶されたプログラムに従って所定の制御を行う。記憶部２０４は、メモリを備え、所定の制御プログラムを記憶する。無線通信部２０５は、制御部２０３からの制御に従って、台所リモコン１３の無線通信部１３６と通信を行う。このため、無線通信部２０５は、無線通信部１３６と同様、ＮＦＣ（Near Field Communication）の通信機能を有するＮＦＣ通信モジュールである。この他、携帯端末装置２０は、音声を出力するためのスピーカを備えている。
【００４８】
携帯端末装置２０が台所リモコン１３に近づけられることにより、無線通信部１３６と無線通信部２０５とが所定の近距離以下（たとえば、１０ｃｍ以下）に接近したとき、無線通信部１３６と無線通信部２０５との間に通信網が確立し、これらの間で通信が可能となる。このとき、台所リモコン１３の制御部１３３は、無線通信部１３６を通じて携帯端末装置２０が近接したことを検出する。
【００４９】
本実施形態の給湯システム１では、給湯装置１０に、浴室リモコン１２の入力部１２２および台所リモコン１３の入力部１３２での操作が制限されるロック機能が搭載されている。ロック機能が設定された場合、ロック機能が解除されない限り、入力部１２２、１３２の運転ボタン１２２ａ、１３２ａを除く操作ボタン、たとえば、ふろ自動ボタン１２２ｂ、１３２ｂ、追い焚きボタン１２２ｃ、１３２ｃ、足し湯ボタン１２２ｄ、１３２ｄの操作が受け付けられなくなる。ロック機能が設定されている間、浴室リモコン１２の表示部１２１および台所リモコン１３の表示部１３１には、ロック中であることを示すマーク（たとえば、カギの絵柄）が表示される。
【００５０】
なお、浴室リモコン１２の表示部１２１や台所リモコン１３の表示部１３１がタッチパネルである場合には、ロック機能が設定されると、表示部１２１、１３１に表示される各種の画面に含まれる、少なくとも一部のボタンへの操作が受け付けられなくなる。
【００５１】
本実施形態の給湯システム１では、ロック機能を設定する操作および解除する操作が携帯端末装置２０側で行われ、この設定操作および解除操作に基づいて給湯装置１０側でロック機能の設定および解除が行われる。このために、携帯端末装置２０には、ロック機能の設定と解除とを行うためのアプリケーションプログラム（以下、「ロックアプリ」と称する）がインストールされる。このロックアプリが起動されると、携帯端末装置２０の制御部２０３によりロック機能の設定と解除のため処理が実行される。また、台所リモコン１３には、ロック機能の設定と解除を行う処理のためのプログラムが記憶部１３４に記憶されており、台所リモコン１３に電源が投入されている間、ロック機能の設定と解除のための処理が、他の様々な処理と並行して繰り返し実行される。
【００５２】
浴室リモコン１２の記憶部１２４と台所リモコン１３の記憶部１３４には、ロック機能が設定された状態にあるのか解除された状態にあるかを示す状態フラグが設けられる。たとえば、ロック機能が設定されると、状態フラグがセットされて、上述した浴室リモコン１２および台所リモコン１３での操作の制限が実行され、ロック機能が解除されると、状態フラグがリセットされて、浴室リモコン１２および台所リモコン１３での操作の制限が解除される。
【００５３】
図３は、携帯端末装置２０の制御部２０３により実行されるロック機能の設定と解除のため処理を示すフローチャートである。図４は、台所リモコン１３の制御部１３３により実行されるロック機能の設定と解除のため処理を示すフローチャートである。図５（ａ）は、携帯端末装置２０の表示部２０１に表示される初期画面６１０の一例を示す図であり、図５（ｂ）および（ｃ）は、携帯端末装置２０の表示部２０１に表示される設定画面６２０の一例を示す図である。
【００５４】
ロック機能の設定または解除が行われる場合、携帯端末装置２０において、操作者によりロックアプリが起動される。これにより、制御部２０３によって図３の処理が開始される。
【００５５】
図３を参照し、携帯端末装置２０において、ロックアプリが起動すると、制御部２０３は、まず、表示部２０１に初期画面６１０を表示させる（Ｓ１０１）。そして、制御部２０３は、台所リモコン１３からの状態信号の送信を待つ（Ｓ１０２）。状態信号は、ロック機能が設定された状態であるのか解除された状態であるのかを示す信号である。
【００５６】
図５（ａ）に示すように、初期画面６１０には、携帯端末装置２０を台所リモコン１３に接近させることを促すメッセージ６１１が含まれる。操作者は、携帯端末装置２０を台所リモコン１３に接近させる。たとえば、操作者は、携帯端末装置２０の背面を、台所リモコン１３の正面に重ね合わせるようにする。携帯端末装置２０が台所リモコン１３に接近すると、両者の無線通信部２０５、１３６の間で通信が可能となる。
【００５７】
図４を参照し、台所リモコン１３では、制御部１３３が、無線通信部１３６により携帯端末装置２０が接近したか否かを監視している（Ｓ２０１）。両者の無線通信部２０５、１３６の間で通信網が確立することにより、携帯端末装置２０が台所リモコン１３に接近したことを、無線通信部１３６を通じて制御部１３３が検出する。
【００５８】
携帯端末装置２０が台所リモコン１３に接近すると（Ｓ２０１：ＹＥＳ）、制御部１３３は、記憶部１３４の状態フラグを参照し、現在のロック機能の状態に応じた状態信号を、無線通信部１３６を通じて携帯端末装置２０に送信する（Ｓ２０２）。即ち、ロック機能が設定された状態にあれば、設定状態を示す状態信号が送信され、ロック機能が解除された状態にあれば、解除状態を示す状態信号が送信される。
【００５９】
図３に戻り、携帯端末装置２０では、無線通信部２０５が状態信号を受信する。状態信号が受信されると（Ｓ１０２：ＹＥＳ）、制御部２０３は、状態信号に基づいてロック機能が設定状態にあるか否かを判定する（Ｓ１０３）。制御部２０３は、ロック機能が設定状態にあれば（Ｓ１０３：ＹＥＳ）、設定状態に対応する設定画面６２０を表示部２０１に表示させ（Ｓ１０４）、ロック機能が解除状態にあれば（Ｓ１０３：ＮＯ）、解除状態に対応する設定画面６２０を表示部２０１に表示させる（Ｓ１０５）。
【００６０】
図５（ｂ）および（ｃ）に示すように、設定画面６２０には、ロック機能を設定するときにタッチされる設定操作領域６２１（たとえば、円形のボックス）とロック機能を解除するときにタッチされる解除操作領域６２２（たとえば、円形のボックス）とが設けられる。設定操作領域６２１の隣には、その領域が設定用であることを示す文字６２３（たとえば、ＯＮの文字）が記され、解除操作領域６２２には、その領域が解除用であることを示す文字６２４（たとえば、ＯＦＦの文字）が記される。ロック機能が設定状態にあるときは、図５（ｂ）のように、設定操作領域６２１にチェックマーク（たとえば、黒丸）が入れられ、ロック機能が解除状態にあるときは、図５（ｃ）のように、解除操作領域６２２にチェックマークが入れられる。このように、設定操作領域６２１と解除操作領域６２２の表示態様が、ロック機能の設定状態と解除状態とに合わせて変化することにより、操作者は、携帯端末装置２０において、給湯装置１０のロック機能の状態を把握できる。
【００６１】
制御部２０３は、図５（ｂ）の設定状態に対応する設定画面６２０において、解除操作領域６２２へのタッチによる解除操作を待つ（Ｓ１０６）。そして、操作者により解除操作が行われると（Ｓ１０６：ＹＥＳ）、制御部２０３は、解除信号を、無線通信部２０５を通じて台所リモコン１３に送信する（Ｓ１０７）。このとき、設定画面６２０は図５（ｃ）のような表示となる。
【００６２】
また、制御部２０３は、図５（ｃ）の解除状態に対応する設定画面６２０において、設定操作領域６２１へのタッチによる設定操作を待つ（Ｓ１０８）。そして、操作者により設定操作が行われると（Ｓ１０８：ＹＥＳ）、制御部２０３は、設定信号を、無線通信部２０５を通じて台所リモコン１３に送信する（Ｓ１０９）。このとき、設定画面６２０は図５（ｂ）のような表示となる。
【００６３】
図４に戻り、台所リモコン１３では、ロック機能が設定状態にある場合（Ｓ２０３：ＹＥＳ）、制御部１３３は、携帯端末装置２０からの解除信号を待つ（Ｓ２０４）。そして、解除信号が無線通信部１３６により受信されると（Ｓ２０４：ＹＥＳ）、制御部１３３は、状態フラグをリセットすることにより、ロック機能を解除する（Ｓ２０５）。また、ロック機能が解除状態にある場合（Ｓ２０３：ＮＯ）、制御部１３３は、携帯端末装置２０からの設定信号を待つ（Ｓ２０６）。そして、設定信号が無線通信部１３６により受信されると（Ｓ２０６：ＹＥＳ）、制御部１３３は、状態フラグをセットすることにより、ロック機能を設定する（Ｓ２０７）。
【００６４】
なお、Ｓ２０５において、制御部１３３は、台所リモコン１３でのロック機能を解除すると、解除指示を浴室リモコン１２に行う。これにより、浴室リモコン１２の制御部１２３によって記憶部１２４の状態フラグがリセットされ、浴室リモコン１２でのロック機能が解除される。同様に、Ｓ２０７において、制御部１３３は、台所リモコン１３でのロック機能を設定すると、設定指示を浴室リモコン１２に行う。これにより、浴室リモコン１２の制御部１２３によって記憶部１２４の状態フラグがセットされ、浴室リモコン１２でのロック機能が設定される。
【００６５】
ロック機能が設定状態にある場合に、操作者が設定画面６２０で解除操作を行うことを中止するとき、または、ロック機能が解除状態にある場合に、操作者が設定画面６２０で設定操作を行うことを中止するとき、操作者は、携帯端末装置２０を台所リモコン１３から離間させる。
【００６６】
両者の無線通信部２０５、１３６の間で通信網が遮断されることにより、携帯端末装置２０が台所リモコン１３から離間したことを、携帯端末装置２０の制御部２０３と台所リモコン１３の制御部１３３とが、それぞれの無線通信部２０５、１３６を通じて検出する。図３に示すように、携帯端末装置２０では、携帯端末装置２０が台所リモコン１３から離間すると（Ｓ１１０：ＹＥＳ、Ｓ１１１：ＹＥＳ）、制御部２０３は、ロックアプリを停止させて、ロック機能の設定と解除の処理を終了する。また、図４に示すように、台所リモコン１３では、携帯端末装置２０が台所リモコン１３から離間すると（Ｓ２０８：ＹＥＳ、Ｓ２０９：ＹＥＳ）、制御部１３３は、ロック機能の設定と解除の処理を終了する。
【００６７】
＜第１実施形態の効果＞
第１実施形態によれば、以下の効果が奏される。
【００６８】
給湯装置１０におけるロック機能の解除が携帯端末装置２０での解除操作により行われるようになされており、浴室リモコン１２上や台所リモコン１３上での操作ではロック機能が解除できず、解除のためには携帯端末装置２０を手にしなければならない。よって、解除操作自体を複雑なものとしなくとも、子供等によりロック機能が不所望に解除されにくくなる。
【００６９】
また、給湯装置１０におけるロック機能の設定が携帯端末装置２０での設定操作により行われるようになされているので、設定操作自体を複雑なものとしなくとも、子供等によりロック機能が不所望に設定されにくくなる。
【００７０】
さらに、給湯装置１０から携帯端末装置２０へ現在のロック機能の状態が設定状態にあるのか解除状態にあるのかが通知されるので、操作者は、設定操作および解除操作を行う前に携帯端末装置２０において現在のロック機能の状態を把握でき、円滑に設定操作および解除操作を行うことができる。
【００７１】
＜第１実施形態の変更例＞
図６は、第１実施形態の変更例に係る、給湯システム１の構成を示す図である。
【００７２】
図６に示すように、本変更例の給湯システム１は、給湯装置１０と、携帯端末装置２０とに加え、ルータ３０と、外部通信網４０と、サーバ５０とを備える。
【００７３】
ルータ３０は、建物内（ここでは、宅内Ｈ１０）に存在する各機器を、外部通信網４０を介してサーバ５０に接続するための無線ルータである。ルータ３０は、宅内Ｈ１０の機器を外部通信網４０に接続するための通信中継器である。
【００７４】
台所リモコン１３は、無線通信により、ルータ３０に接続される。また、携帯端末装置２０が宅内Ｈ１０に存在する場合、携帯端末装置２０は、無線通信によりルータ３０に接続されて、サーバ５０と通信可能である。
【００７５】
外部通信網４０には、給湯装置１０に対する遠隔制御（遠隔操作および遠隔監視）を管理するためのサーバ５０が接続されている。台所リモコン１３は、ルータ３０および外部通信網４０を介して、サーバ５０と通信を行う。携帯端末装置２０が宅内Ｈ１０に存在する場合、携帯端末装置２０は、ルータ３０および外部通信網４０を介してサーバ５０と通信を行う。また、携帯端末装置２０が宅外にある場合、携帯端末装置２０は、外部に設置されたルータ６０または基地局７０を介して外部通信網４０に接続され、サーバ５０と通信を行う。
【００７６】
台所リモコン１３と携帯端末装置２０には、給湯システム１のアプリケーションプログラムが、サーバ５０からダウンロードされ、インストールされている。このアプリケーションプログラムに、サーバ５０にアクセスするためのアドレス情報（たとえばＩＰアドレス）が含まれている。台所リモコン１３と携帯端末装置２０は、このアドレス情報に基づいて、サーバ５０にアクセスし、通信を行う。台所リモコン１３のアドレス情報は、初期設定の際に、サーバ５０に送信され保持される。このとき同時に、台所リモコン１３のＩＤ情報（識別情報）が、台所リモコン１３からサーバ５０に送信される。
【００７７】
また、サーバ５０には、給湯装置１０を遠隔制御（遠隔操作および遠隔監視）可能な携帯端末装置２０が、給湯装置１０に対応付けて、予め登録される。すなわち、所定のペアリング処理により、給湯装置１０と携帯端末装置２０とがペアリングされて、サーバ５０に登録される。たとえば、サーバ５０には、ペアリング情報として、給湯装置１０のＩＤ情報と、携帯端末装置２０のＩＤ情報およびアドレス情報とが対応付けて登録される。また、上記ペアリングの際に、携帯端末装置２０において、ペアリング先の給湯装置１０（台所リモコン１３）のＩＤ情報が登録される。
【００７８】
こうして、携帯端末装置２０の使用者は、宅内Ｈ１０と宅外の何れにおいても、携帯端末装置２０を用いて、給湯装置１０に対する遠隔制御（遠隔操作および遠隔監視）を行うことができる。
【００７９】
すなわち、携帯端末装置２０が宅内Ｈ１０と宅外の何れにある場合も、操作者から携帯端末装置２０に入力された設定要求は、外部通信網４０を介して、一旦、サーバ５０に送信される。これを受けて、サーバ５０は、設定要求を受信した携帯端末装置２０に予め対応付けられている給湯装置１０に対して、受信した設定要求を送信する。これにより、設定要求が、外部通信網４０およびルータ３０を介して、対応する給湯装置１０の台所リモコン１３に送信される。こうして、操作者が要求する内容の設定が、遠隔操作により、給湯装置１０に適用される。
【００８０】
また、給湯装置１０の状態情報が、所定周期で随時、台所リモコン１３からルータ３０を介してサーバ５０に送信される。状態情報は、現在の給湯装置１０の設定状態を示す情報である。サーバ５０は、受信した状態情報を、給湯装置１０ごとに管理する。操作者から携帯端末装置２０に入力された遠隔監視の閲覧要求は、外部通信網４０を介して、一旦、サーバ５０に送信される。これを受けて、サーバ５０は、閲覧要求を受信した携帯端末装置２０に予め対応付けられている給湯装置１０のうち、閲覧要求により指定された給湯装置１０の状態情報を、当該携帯端末装置２０に送信する。これにより、給湯装置１０の状態が、携帯端末装置２０において出力される。こうして、操作者は、給湯装置１０の状態を、宅内および宅外の両方において確認できる。
【００８１】
図７は、第１実施形態の変更例に係る、給湯システム１を構成する各機器の回路ブロックを示す図である。
【００８２】
本変更例では、台所リモコン１３は、ＮＦＣ通信モジュールである無線通信部１３６に代えて、ルータ３０との間で無線通信が可能な無線通信モジュールである無線通信部１３７を備える。無線通信部１３７には、宅内Ｈ１０に設定されたＬＡＮ（Local Area Network）上の機器を特定するためのＩＰアドレスが割り振られている。また、携帯端末装置２０は、ＮＦＣ通信モジュールである無線通信部２０５に代えて、ルータ３０との間で無線通信が可能な無線通信モジュールである無線通信部２０６を備える。無線通信部２０６にもＩＰアドレスが割り振られている。
【００８３】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００８４】
次に、本変更例の給湯システム１における給湯装置１０のロック機能の設定および解除について説明する。
【００８５】
図８は、第１実施形態の変更例に係る、携帯端末装置２０の制御部２０３により実行されるロック機能の設定と解除のため処理を示すフローチャートである。図９は、第１実施形態の変更例に係る、サーバ５０の制御部５０１により実行されるロック機能の設定と解除のため処理を示すフローチャートである。図１０は、第１実施形態の変更例に係る、台所リモコン１３の制御部１３３により実行されるロック機能の設定と解除のため処理を示すフローチャートである。
【００８６】
給湯装置１０におけるロック機能の設定または解除が行われる場合、携帯端末装置２０において、操作者によりロックアプリが起動される。これにより、制御部２０３によって図８の処理が開始される。
【００８７】
図８を参照し、携帯端末装置２０において、ロックアプリが起動すると、制御部２０３は、まず、台所リモコン１３へ状態情報を要求するための要求信号を、無線通信部２０６を通じてサーバ５０に送信する（Ｓ３０１）。そして、制御部２０３は、サーバ５０からの状態信号の送信を待つ（Ｓ３０２）。サーバ５０には、要求信号とともに要求の対象となる台所リモコン１３のＩＤ情報が送信される。なお、携帯端末装置２０が、複数の台所リモコン１３とペアリングされている場合には、ログアプリが起動した際に、操作の対象となる台所リモコン１３を選択するための選択画面が表示部２０１に表示され、選択画面上で選択された台所リモコン１３のＩＤ情報が送信されるようにするとよい。
【００８８】
図９を参照し、サーバ５０では、携帯端末装置２０からの要求信号を通信部５０３が受信すると（Ｓ４０１：ＹＥＳ）、制御部５０１は、その要求信号とともに受信したＩＤ情報で特定される台所リモコン１３に、通信部５０３を通じて要求信号を送信する（Ｓ４０２）。
【００８９】
図１０を参照し、台所リモコン１３では、サーバ５０からの要求信号を無線通信部１３７が受信すると（Ｓ５０１：ＹＥＳ）、制御部１３３は、記憶部１３４の状態フラグを参照し、現在のロック機能の状態に応じた状態信号を、無線通信部１３７を通じてサーバ５０に送信する（Ｓ５０２）。
【００９０】
図９に戻り、サーバ５０では、携帯端末装置２０からの状態信号を通信部５０３が受信すると（Ｓ４０３：ＹＥＳ）、制御部５０１は、要求信号の送信元である携帯端末装置２０に、台所リモコン１３からの状態信号に従った状態信号を送信する（Ｓ４０４）。
【００９１】
図８に戻り、携帯端末装置２０では、サーバ５０からの状態信号を無線通信部２０６が受信すると（Ｓ３０２：ＹＥＳ）、制御部２０３は、状態信号に基づいてロック機能が設定状態にあるか否かを判定する（Ｓ３０３）。制御部２０３は、ロック機能が設定状態にあれば（Ｓ３０３：ＹＥＳ）、図５（ｂ）に示すような、設定状態に対応する設定画面６２０を表示部２０１に表示させ（Ｓ３０４）、ロック機能が解除状態にあれば（Ｓ３０３：ＮＯ）、図５（ｃ）に示すような、解除状態に対応する設定画面６２０を表示部２０１に表示させる（Ｓ３０５）。そして、制御部２０３は、設定画面６２０上で解除操作が行われると（Ｓ３０６：ＹＥＳ）、解除信号を、無線通信部２０６を通じてサーバ５０に送信する（Ｓ３０７）。また、制御部２０３は、設定画面６２０上で設定操作が行われると（Ｓ３０８：ＹＥＳ）、設定信号を、無線通信部２０６を通じてサーバ５０に送信する（Ｓ３０９）。なお、解除信号および設定信号には、解除および設定の対象となる台所リモコン１３のＩＤ情報が付加される。
【００９２】
図９を参照し、サーバ５０では、携帯端末装置２０からの解除信号を受信すると（Ｓ４０５：ＹＥＳ）、制御部５０１は、その解除信号に付加されたＩＤ情報の台所リモコン１３に解除信号を送信する（Ｓ４０６）。また、携帯端末装置２０からの設定信号を受信すると（Ｓ４０７：ＹＥＳ）、制御部５０１は、その設定信号に付加されたＩＤ情報の台所リモコン１３に設定信号を送信する（Ｓ４０８）。
【００９３】
図１０を参照し、台所リモコン１３では、ロック機能が設定状態にある場合（Ｓ５０３：ＹＥＳ）に、解除信号が無線通信部１３７により受信されると（Ｓ５０４：ＹＥＳ）、制御部１３３は、ロック機能を解除する（Ｓ５０５）。また、制御部１３３からの解除指示により、浴室リモコン１２においてもロック機能が解除される。
【００９４】
一方、ロック機能が解除状態にある場合（Ｓ５０３：ＮＯ）に、設定信号が無線通信部１３７により受信されると（Ｓ５０６：ＹＥＳ）、制御部１３３は、ロック機能を設定する（Ｓ５０７）。また、制御部１３３からの設定指示により、浴室リモコン１２においてもロック機能が設定される。
【００９５】
ロック機能が設定状態にある場合に、操作者が設定画面６２０で解除操作を行うことを中止するとき、または、ロック機能が解除状態にある場合に、操作者が設定画面６２０で設定操作を行うことを中止するとき、操作者は、携帯端末装置２０において所定の終了操作を行う。
【００９６】
図８に示すように、携帯端末装置２０では、終了操作がなされると（Ｓ３１０：ＹＥＳ、Ｓ３１２：ＹＥＳ）、制御部２０３は、終了信号をＩＤ情報とともにサーバ５０に送信し（Ｓ３１１、Ｓ３１３）、ロックアプリを停止させて、ロック機能の設定と解除の処理を終了する。そして、図９に示すように、サーバ５０では、制御部５０１は、ＩＤ情報の台所リモコン１３へ終了信号を送信し（Ｓ４０９：ＹＥＳ→Ｓ４１０）、ロック機能の設定と解除の処理を終了する。そして、図１０に示すように、台所リモコン１３では、終了信号を受信すると（Ｓ５０８：ＹＥＳ、Ｓ５０９：ＹＥＳ）、制御部１３３は、ロック機能の設定と解除の処理を終了する。
【００９７】
本変更例においても、上記第１実施形態と同様の効果を奏することができる。
【００９８】
さらに、本変更例では、屋内外の何れにおいても、携帯端末装置２０を用いて、給湯装置１０のロック機能の解除および設定を行うことができる。
【００９９】
なお、本変更例において、ロック機能の状態が、定期的にサーバ５０へ通知される給湯装置１０の設定状態の一つに含められてもよい。この場合、サーバ５０には、台所リモコン１３から定期的に状態信号が送信され、状態信号が示すロック機能の状態（設定状態、解除状態）が記憶部５０２に保持される。よって、携帯端末装置２０から要求信号がサーバ５０に送られてきたとき、サーバ５０からは、台所リモコン１３へ要求信号の送信が行われず、記憶部５０２に記憶された状態を示す状態信号が、携帯端末装置２０に返信されることになる。
【０１００】
また、本変更例において、台所リモコン１３に、無線通信部１３７とともにＮＦＣ通信モジュールである無線通信部１３６が設けられ、携帯端末装置２０に、無線通信部２０６とともにＮＦＣ通信モジュールである無線通信部２０５が設けられてもよい。そして、このような構成とされることにより、図８ないし図１０の処理によるロック機能の設定と解除のみならず、図３と図４の処理によるロック機能の設定と解除を行うことができるようにしてもよい。
【０１０１】
＜第２実施形態＞
本発明の燃焼装置および燃焼システムは、給湯装置１０および給湯システム１に限らず、ガスコンロおよびコンロシステムに適用することもできる。
【０１０２】
以下、本発明の第２実施形態に係るガスコンロおよびコンロシステムについて説明する。
【０１０３】
図１１は、コンロシステム２の構成を示す図である。
【０１０４】
図１１に示すように、コンロシステム２は、ガスコンロ８０と、携帯端末装置２０Ａと、ルータ３０Ａと、外部通信網４０Ａと、サーバ５０Ａとを備える。
【０１０５】
ガスコンロ８０は、コンロ部８０１と、グリル部８０２とを備える。コンロ部８０１は、ガスコンロ８０の筐体の天面（天板）に複数、たとえば３つ設けられる。コンロ部８０１は、ガスを燃料として燃焼するガスバーナと、鍋等を設置するためのごとくを備える。グリル部８０２は、筐体の内部に設けられる。グリル部８０２には、上下にグリルバーナが設けられ、グリルバーナの燃焼によりグリル調理が行われる。
【０１０６】
さらに、ガスコンロ８０は、表示部８０３と、入力部８０４と、制御部８０５と、記憶部８０６と、２つの無線通信部８０７、８０８とを備える。
【０１０７】
表示部８０３は、たとえば、液晶パネルであり、タイマー時間、エラーコード等、コンロ部８０１およびグリル部８０２に関する各種の情報を表示する。入力部８０４には、コンロ部８０１に対して点火および消火を行うための点火ボタン、コンロ部８０１に関する所定の設定を入力するための各種の設定ボタン、グリル部８０２に対して点火および消火を行うための点火ボタン、グリル部８０２に関する所定の設定を入力するための各種の設定ボタン等が含まれる。
【０１０８】
制御部８０５は、ＣＰＵ（Central Processing Unit）を備え、記憶部８０６に記憶されたプログラムに従って、ガスコンロ８０の各部の制御を行う。記憶部８０６は、メモリを備え、所定の制御プログラムを記憶する。
【０１０９】
無線通信部８０７は、ＮＦＣ通信モジュールである。また、無線通信部８０８は、ルータ３０との間で無線通信が可能な無線通信モジュールである。無線通信部８０８にはＩＰアドレスが割り振られている。無線通信部８０７は、携帯端末装置２０Ａを接近させやすいガスコンロ８０の外面部分を検出部として、その裏側に配置されるとよい。
【０１１０】
携帯端末装置２０Ａの構成は、携帯端末装置２０Ａが無線通信部２０５と無線通信部２０６の双方を備えている点を除き、上記第１実施形態およびその変更例の携帯端末装置２０の構成と同様である。ルータ３０Ａ、外部通信網４０Ａおよびサーバ５０Ａの構成は、上記第１実施形態の変更例のルータ３０、外部通信網４０およびサーバ５０の構成と同様である。
【０１１１】
本実施形態のコンロシステム２では、ガスコンロ８０に、入力部８０４での操作が制限されるロック機能が搭載されている。ロック機能が設定された場合、ロック機能が解除されない限り、入力部８０４の少なくとも一部の操作ボタンの操作が受け付けられなくなる。ロック機能が設定されている間、表示部８０３には、ロック中であることを示すマーク（たとえば、カギの絵柄）が表示される。
【０１１２】
本実施形態のコンロシステム２では、ロック機能を設定する操作および解除する操作が携帯端末装置２０Ａ側で行われ、この設定操作および解除操作に基づいてガスコンロ８０側でロック機能の設定および解除が行われる。
【０１１３】
ロック機能の設定および解除のため、携帯端末装置２０には、図３の処理を行うためのロックアプリが第１ロックアプリとしてインストールされており、図８の処理を行うためのロックアプリが第２ロックアプリとしてインストールされている。また、ガスコンロ８０の記憶部８０６には、ガスコンロ８０の制御部８０５が図４の処理を行うためのプログラムと図１０の処理を行うためのプログラムが記憶されている。
【０１１４】
たとえば、携帯端末装置２０Ａの使用者が操作の対象となるガスコンロ８０がある屋内（台所内）にいる状態でロック機能の設定または解除が行われる場合には、携帯端末装置２０において、第１ロックアプリが起動される。携帯端末装置２０Ａの制御部２０３により図３の処理が行われるとともにガスコンロ８０の制御部８０５により図４の処理が行われる。また、たとえば、携帯端末装置２０Ａの使用者が屋外にいる状態でロック機能の設定または解除が行われる場合には、携帯端末装置２０Ａにおいて、第２ロックアプリが起動される。携帯端末装置２０Ａの制御部２０３により図８の処理が行われるとともに、サーバ５０Ａの制御部５０１により図９の処理が行われ、ガスコンロ８０の制御部８０５により図１０の処理が行われる。
【０１１５】
なお、コンロシステム２の場合、携帯端末装置２０の初期画面６１０（図５（ａ）参照）に含まれるメッセージ６１１は、ガスコンロ８０の検出部に携帯端末装置２０を接近させることを促す文章となる。
【０１１６】
こうして、ユーザは、携帯端末装置２０Ａでの設定操作および解除操作によって、ガスコンロ８０のロック機能の設定および解除を行うことができる。
【０１１７】
以上、本実施形態においても、第１実施形態およびその変更例と同様の効果を奏することができる。
【０１１８】
なお、本実施形態のコンロシステム２において、図３および図４の処理によるロック機能の設定と解除および図８ないし図１０の処理によるロック機能の設定と解除のうち、何れか一方が行われない構成が採られてもよい。
【０１１９】
＜その他の変更例＞
以上、本発明の第１実施形態およびその変更例、並びに第２実施形態について説明したが、本発明は、これら実施形態等に限定されるものではなく、また、本発明の適用例も、上記実施形態等の他に、種々の変更が可能である。
【０１２０】
たとえば、上記第１実施形態および上記第２実施形態では、それぞれ、給湯装置１０（台所リモコン１３）と携帯端末装置２０との間の無線通信にＮＦＣの通信機能が用いられた。しかしながら、他の通信機能、たとえば、ＺｉｇＢｅｅ（登録商標）、Ｂｌｕｅｔｏｏｔｈ（登録商標）、赤外線通信などの近距離無線通信の通信機能が用いられてもよい。ただし、この場合、図３のＳ１０１では、初期画面６１０が表示される処理に替えて、台所リモコン１３やガスコンロ８０に要求信号が送信される処理が行われ、図４のＳ２０１では、携帯端末装置２０の接近を監視する処理に替えて、要求信号の受信を監視する処理が行われる。
【０１２１】
また、上記第１実施形態では、携帯端末装置２０が台所リモコン１３に近づけられる前にロックアプリが起動される構成が採られた。しかしながら、携帯端末装置２０が台所リモコン１３に近づけられると自動的にロックアプリが起動する構成、即ち、携帯端末装置２０に台所リモコン１３が接近したことが検出されたときに、台所リモコン１３から携帯端末装置２０にロックアプリの起動用のコードが送信され、そのコードにより携帯端末装置２０の制御部２０３がロックアプリを起動させるような構成が採られてもよい。この場合、たとえば、制御部２０３には、コードとロックアプリとが対応付けられたドライバが含まれ、このドライバによりロックアプリが起動される。なお、上記第２実施形態のコンロシステム２においても、同様の変更が可能である。
【０１２２】
さらに、上記第１実施形態では、台所リモコン１３側に携帯端末装置２０と通信するための無線通信部１３６が設けられた。しかしながら、浴室リモコン１２側に携帯端末装置２０と通信するための無線通信部が設けられてもよい。この場合、浴室リモコン１２の制御部１２３により図４の処理が実行され、ロック機能の設定または解除が行われる際には、携帯端末装置２０が浴室リモコン１２に近づけられる。
【０１２３】
さらに、上記第１実施形態およびその変更例では、給湯装置１０において、携帯端末装置２０での設定操作および解除操作によりロック機能が設定および解除されると、浴室リモコン１２の入力部１２２と台所リモコン１３の入力部１３２の双方での操作の制限および制限解除が行われた。しかしながら、給湯装置１０は、浴室リモコン１２と台所リモコン１３とで個別にロック機能が設定および解除される構成とされてもよい。
【０１２４】
この場合、たとえば、携帯端末装置２０の表示部２０１には、浴室リモコン１２のロック機能の設定操作および解除操作と台所リモコン１３のロック機能の設定操作および解除操作とが個別に行える設定画面が表示される。設定画面上で浴室リモコン１２のロック機能の設定操作または解除操作がなされると、それに基づいて浴室リモコン１２用の設定信号または解除信号が台所リモコン１３で受信され、台所リモコン１３の制御部１３３からの設定指示または解除指示により浴室リモコン１２の制御部１２３がロック機能を設定または解除する。また、設定画面上で台所リモコン１３のロック機能の設定操作または解除操作がなされると、それに基づいて台所リモコン１３用の設定信号または解除信号が台所リモコン１３で受信され、台所リモコン１３の制御部１３３がロック機能を設定または解除する。
【０１２５】
また、たとえば、浴室リモコン１２に台所リモコン１３の無線通信部１３６と同様の無線通信部が備えられ、浴室リモコン１２の制御部１２３も図４の処理が実行できるように構成される。この構成では、浴室リモコン１２に携帯端末装置２０が近づけられたときに制御部１２３が図４の処理を実行することにより、携帯端末装置２０での設定操作または解除操作に基づいて浴室リモコン１２のロック機能が設定または解除され、台所リモコン１３に携帯端末装置２０が近づけられたときに制御部１３３が図４の処理を実行することにより、携帯端末装置２０での設定操作または解除操作に基づいて台所リモコン１３のロック機能が設定または解除される。
【０１２６】
さらに、上記第２実施形態では、コンロシステム２は、ガスコンロ８０と、携帯端末装置２０Ａと、ルータ３０Ａと、外部通信網４０Ａと、サーバ５０Ａとを備える。しかしながら、コンロシステム２が、ガスコンロ８０と、携帯端末装置２０Ａとを備え、ルータ３０Ａ、外部通信網４０Ａおよびサーバ５０Ａを備えない構成とされてもよい。この場合、コンロシステム２では、少なくともガスコンロ８０が無線通信部８０８を備えず、図８ないし図１０の処理によるロック機能の設定と解除が行われなくなる。
【０１２７】
さらに、上記第１実施形態では、本発明の燃焼装置および燃焼システムが、給湯装置１０および給湯システム１に適用され、上記第２実施形態では、本発明の燃焼装置および燃焼システムが、ガスコンロ８０およびコンロシステム２に適用された。しかしながら、本発明は、上記以外の燃焼装置、たとえば、ガスファンヒータに適用でき、上記以外の燃焼システム、たとえば、ガスファンヒータと携帯端末装置とが含まれるシステムに適用することもできる。
【０１２８】
この他、本発明の実施形態は、特許請求の範囲に記載の範囲で適宜種々の変更可能である。
【符号の説明】
【０１２９】
１  給湯システム（燃焼システム）
２  コンロシステム（燃焼システム）
１０  給湯装置（燃焼装置）
２０  携帯端末装置（端末装置）
５０  サーバ
８０  ガスコンロ（燃焼装置）
１２２  入力部（操作部）
１３２  入力部（操作部）
１３３  制御部
１３６  無線通信部（通信部）
１３７  無線通信部（通信部）
２０５  無線通信部（端末装置の通信部）
２０６  無線通信部（端末装置の通信部）
８０４  入力部（操作部）
８０５  制御部
８０７  無線通信部（通信部）
８０８  無線通信部（通信部）
【図１】
2020139642.tif 000003
【図２】
2020139642.tif 000004
【図３】
2020139642.tif 000005
【図４】
2020139642.tif 000006
【図５】
2020139642.tif 000007
【図６】
2020139642.tif 000008
【図７】
2020139642.tif 000009
【図８】
2020139642.tif 000010
【図９】
2020139642.tif 000011
【図１０】
2020139642.tif 000012
【図１１】
2020139642.tif 000013